(57)【要約】      （修正有）【課題】物体を測定する場合に便利で実用的な工業用カメラを提供する。【解決手段】固定座と、固定座の内縁の適宜な位置に設けられた嵌合部と、嵌合部に設けられた適宜なレンズとを含んでなり、レンズが内縁面の中心に設けられた基準点と、外縁面に設けられた位置決め線とを具えてなり、基準点と位置決め線の点とを結ぶ線と、内縁面との角度が所定の角度を呈し、レンズを設けた固定座をカメラ内部か、或いはレンズヘッドの前方端縁部に設け、使用する時、レンズの厚さと基準点、位置決め線とにより対象物の長さと高さを算出するため、対象物の面積を測定する。【選択図】図１
0003162709.tif 000002
【実用新案登録請求の範囲】
【請求項１】
固定座と、該固定座の内縁の適宜な位置に設けられた嵌合部と、該嵌合部に設けられた適宜なレンズとを含んでなり、
該レンズが内縁面の中心に設けられた基準点と、外縁面に設けられた位置決め線とを具えてなり、基準点と位置決め線とが約４５度を呈するか、或いは適宜な角度に延伸し、レンズを設けた固定座をカメラ内部か、或いはレンズヘッドの前方端縁部に設け、使用する場合、カメラを測量する対象物に照準を合わせて自動焦点距離測定機能にレンズの厚さと基準点、位置決め線とを利用し、マイクロチップのソフトで処理して対象物の長さと高さを算出し、対象物の面積の測定をすばやく、正確に実施することを特徴とする工業用カメラ。
【請求項２】
前記レンズに設けられた位置決め線が、環状か、或いは方形に形成されることを特徴とする請求項１に記載の工業用カメラ。
【請求項３】
前記固定座が、後端に対称に係止構造を有し、固定座をレンズヘッドに設ける場合、該係止構造で係止して位置決めすることを特徴とする請求項１に記載の工業用カメラ。
【請求項４】
前記固定座の係止構造が、孔と、孔から内側に向けて延伸した凹溝と、該凹溝に設けられた係止ボタンとバネとを含んでなり、固定座をカメラのレンズヘッドに設ける場合、弾性を具えた係止ボタンでレンズヘッドの外縁を挟持して位置決めすることを特徴とする請求項１に記載の工業用レンズ。
【考案の詳細な説明】
【技術分野】
【０００１】
この考案は、工業用カメラであって、特に作業時に対象物の面積などの測定に使用する工業用カメラに関する。
【背景技術】
【０００２】
通常、物体の面積を計る場合、長さと高さの数値を測定した後、測定された数値を計算して正確な面積を算出する。
【０００３】
従来の測量方法は、作業時間、費用がかかるだけでなく、物体が比較的大きい場合、一人では測定することができないため、作業効率が低く、人件費も高くなるため、理想的ではない。
【考案の開示】
【考案が解決しようとする課題】
【０００４】
この考案は、物体を測定する場合に便利で実用的な工業用カメラを提供することを課題とする。
【課題を解決するための手段】
【０００５】
そこで、本考案者は従来の技術に見られる欠点に鑑みて鋭意研究を重ねた結果、固定座と、該固定座の内縁の適宜な位置に設けられた嵌合部と、該嵌合部に設けられた適宜なレンズとを含んでなり、
該レンズが内縁面の中心に設けられた基準点と、外縁面に設けられた位置決め線とを具えてなり、基準点と位置決め線とが約４５度を呈するか、或いは適宜な角度に延伸し、レンズを設けた固定座をカメラ内部か、或いはレンズヘッドの前方端縁部に設け、使用する場合、カメラを測量する対象物に照準を合わせて自動焦点距離測定機能にレンズの厚さと基準点、位置決め線とを利用し、マイクロチップのソフトで処理して対象物の長さと高さを算出するため、対象物の面積の測定が便利ですばやく、正確に実施することができる構造からなる工業用カメラによって課題を解決できる点に着眼し、かかる知見に基づいて本考案を完成させた。
【０００６】
以下、この考案について具体的に説明する。
請求項１に記載する工業用カメラは、固定座と、該固定座の内縁の適宜な位置に設けられた嵌合部と、該嵌合部に設けられた適宜なレンズとを含んでなり、
該レンズが内縁面の中心に設けられた基準点と、外縁面に設けられた位置決め線とを具えてなり、基準点と位置決め線とが約４５度を呈するか、或いは適宜な角度に延伸し、レンズを設けた固定座をカメラ内部か、或いはレンズヘッドの前方端縁部に設け、使用する場合、カメラを測量する対象物に照準を合わせて自動焦点距離測定機能にレンズの厚さと基準点、位置決め線とを利用し、マイクロチップのソフトで処理して対象物の長さと高さを算出し、対象物の面積の測定をすばやく、正確に実施することができる構造からなる。
【０００７】
請求項２に記載の工業用カメラは、請求項１におけるレンズに設けられた位置決め線が、環状か、或いは方形に形成される。
【０００８】
請求項３に記載の工業用カメラは、請求項１における固定座が、後端に対称に係止構造を有し、固定座をレンズヘッドに設ける場合、該係止構造で係止して位置決めする。
【０００９】
請求項４に記載の工業用カメラは、請求項１における固定座の係止構造が、孔と、孔から内側に向けて延伸した凹溝と、該凹溝に設けられた係止ボタンとバネとを含んでなり、固定座をカメラのレンズヘッドに設ける場合、弾性を具えた係止ボタンでレンズヘッドの外縁を挟持して位置決めする。
【考案の効果】
【００１０】
この考案の工業用カメラは、面積をすばやく測定できて作業効率を高めるという効果を有する。
【考案を実施するための形態】
【００１１】
この考案は、物体を測定する場合に便利で実用的な工業用カメラであって、固定座と、該固定座の内縁の適宜な位置に設けられた嵌合部と、該嵌合部に設けられた適宜なレンズとを含んでなり、
該レンズが内縁面の中心に設けられた基準点と、外縁面に設けられた位置決め線とを具えてなり、基準点と位置決め線とが約４５度を呈するか、或いは適宜な角度に延伸し、レンズを設けた固定座をカメラ内部か、或いはレンズヘッドの前方端縁部に設け、使用する場合、カメラを測量する対象物に照準を合わせて自動焦点距離測定機能にレンズの厚さと基準点、位置決め線とを利用し、マイクロチップのソフトで処理して対象物の長さと高さをし、対象物の面積の測定をすばやく、正確に実施することができる構造からなる工業用カメラの構造と特徴を詳述するために具体的な実施例を挙げ、図示を参照にして以下に説明する。
【実施例】
【００１２】
図１、図２は、この考案の工業用カメラを示した断面図と、部分拡大図である。
【００１３】
図面によれば、この考案のカメラは円筒形の固定座１と、該固定座１の内縁の適宜な位置に設けられた嵌合部１１と、該嵌合部１１に設けられたレンズ１２とを含んでなる。
【００１４】
該レンズ１２は、内縁面の中心に基準点１２１を設けてなり、外縁面には位置決め線１２２を設けてなる。
【００１５】
よって、基準点１２１と位置決め線１２２とが略４５度を呈するか、或いは適宜な角度に延伸する。
【００１６】
この実施形態では位置決め線１２２が環状に形成されるが、方形に形成してもよい。
【００１７】
前述の部材を組み合わせて工業用カメラを形成し、適宜な厚さのレンズ１２の固定座１がカメラ内部に設けられる。
【００１８】
カメラを使用する場合、一般のカメラと同様の操作をすると、対象物がカメラのモニタ上に表示される。
【００１９】
カメラの自動焦点距離測定機能にレンズ１２の基準点１２１と位置決め線１２２とを合わせて利用し、マイクロチップのソフトで処理を行い対象物の長さと高さとを換算することができるため、対象物の面積の測定が便利で、すばやく正確に実施することができる。
【００２０】
図３は、この考案の工業用カメラの測定している状態を示した説明図である。
【００２１】
この考案のレンズ１２は中心に基準点１２１が設けられ、中心の基準点１２１の約４５度の位置から、外側に向けて延伸し、延伸したレンズ１２の外縁面には位置決め線１２２度が設けられる。
【００２２】
延伸した面積を複数のマス目で分割し、対象物を位置決め線１２２内のいずれかの位置に設けると、いずれもカメラの自動焦点距離測定機能で、対象物が占めるマス目に基づいてマイクロチップのソフトを介して対象物の長さ及び高さ、カメラと対象物との距離を換算する。
【００２３】
図４は、この考案の他の実施形態を示した説明図である。
【００２４】
図面によれば、この考案のカメラは、円筒形の固定座１と、該固定座１の内縁の適宜な位置に設けられた嵌合部１１と、該嵌合部１１に設けられたレンズ１２とを含んでなる。
【００２５】
レンズ１２は内縁面中心に基準点１２１を設けてなり、外縁面には位置決め線１２２を形成する。
【００２６】
基準点１２１と位置決め線とは約４５度を呈して延伸する。
【００２７】
固定座１は、後方端縁部に対称の係止構造が設けられる。
【００２８】
係止構造は、孔１３と、孔１３から内側に向けて延伸する凹溝１４とを含んでなる。
【００２９】
該凹溝には係止ボタン１５と、バネ１６を設ける。
【００３０】
固定座１をカメラのレンズに設ける場合、弾性を具えた係止部ボタン１５がレンズ前方の外縁に位置決めされる。
【００３１】
図５は、この考案の他の実施形態の使用状態を示した説明図である。
【００３２】
図面によれば、図４にも開示するように、この考案の他の実施形態を使用する場合、固定座１をカメラ２のレンズ１２の外縁上に設ける。
【００３３】
固定座１を設ける場合、係止ボタン１５が内側に向けて突出し、対称の係止ボタン１５がレンズヘッド２１を挟持する。
【００３４】
よって、一般のカメラのように操作すると、カメラ２のモニタに表示される。
【００３５】
カメラ２の自動焦点距離装置にレンズ１２の基準点１２１と、位置決め線１２２とを合わせてマイクロチップで処理して分冊、対象物の長さ、高さなどを計算することができる。
【００３６】
マイクロチップのソフトで処理して対象物の長さと高さを産出するために便利ですばやく、正確に大きさを知ることができる。  この考案の実施形態では、位置決め線１２２が環状に設けられているが、方形に設けられてもよい。
【００３７】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００３８】
【図１】この考案の工業用カメラのレンズ部分の断面図である。
【図２】この考案の工業用カメラのレンズ部分の説明図である。
【図３】この考案の工業用カメラで測定する状態を示した説明図である。
【図４】この考案の工業カメラの他の実施形態を示した断面図である。
【図５】この考案の工業カメラの他の実施形態の使用状態を示した説明図である。
【符号の説明】
【００３９】
１       固定座
１１     嵌合部
１２     レンズ
１２１   基準点
１２２   位置決め線
１３     孔
１４     凹溝
１５     係止ボタン
１６     バネ
２       カメラ
２１     カメラヘッド
【図１】
0003162709.tif 000003
【図２】
0003162709.tif 000004
【図３】
0003162709.tif 000005
【図４】
0003162709.tif 000006
【図５】
0003162709.tif 000007
【手続補正書】
【提出日】平成22年7月12日(2010.7.12)
【手続補正１】
【補正対象書類名】実用新案登録請求の範囲
【補正対象項目名】全文
【補正方法】変更
【補正の内容】
【実用新案登録請求の範囲】
【請求項１】
固定座と、該固定座の内縁の適宜な位置に設けられた嵌合部と、該嵌合部に設けられた適宜なレンズとを含んでなり、
該レンズが内縁面の中心に設けられた基準点と、外縁面に設けられた位置決め線とを具えてなり、基準点と位置決め線の点とを結ぶ線と、該内縁面との角度が所定の角度を呈し、レンズを設けた固定座をカメラ内部か、或いはレンズヘッドの前方端縁部に設け、使用時、該レンズの厚さと該基準点、該位置決め線とにより対象物の長さと高さを算出し、対象物の面積を測定することを特徴とする工業用カメラ。
【請求項２】
前記レンズに設けられた位置決め線が、環状か、或いは方形に形成されることを特徴とする請求項１に記載の工業用カメラ。
【請求項３】
前記固定座が、後端に対称に係止構造を有し、固定座をレンズヘッドに設ける場合、該係止構造で係止して位置決めすることを特徴とする請求項１に記載の工業用カメラ。
【請求項４】
前記固定座の係止構造が、孔と、孔から内側に向けて延伸した凹溝と、該凹溝に設けられた係止ボタンとバネとを含んでなり、固定座をカメラのレンズヘッドに設ける場合、弾性を具えた係止ボタンでレンズヘッドの外縁を挟持して位置決めすることを特徴とする請求項１に記載の工業用レンズ。